(57)【要約】  【課題】  良好な音色が安定して得られる水琴窟装置を提供しようとする。  【解決手段】  内底部に留置水が留置される共鳴容器と、該留置水の水面に水滴を適下する適下手段とを含んでなり、適下手段が、水面の上方の位置に固定され垂下し先端が鈍又は窪みのある突起部と、適下することとなる水を突起部の周面に導く水経路とを含み、適下手段が、適下することとなる水を一時的に保持する水保持容器を備え、水保持容器に底穴が形成され、突起部が底穴の縁部から延出され、底穴の内周面に周方向に一巡する環状溝が形成され、突起部の周面に縦溝が形成され環状溝と縦溝とが導通する水琴窟装置である。  【選択図】  図１
2006146015.tif 000002
【特許請求の範囲】
【請求項１】
内底部に留置水が留置される共鳴容器と、該留置水の水面に水滴を適下する適下手段とを含んでなり、
前記適下手段が、前記水面の上方の位置に固定され垂下する突起部と、適下することとなる水を前記突起部の周面に導く水経路とを含み、
前記突起部が、端面に窪みが形成された突起部、先端が鈍である突起部から選択されるものである水琴窟装置。
【請求項２】
前記突起部の径が５〜１５ｍｍである請求項１に記載の水琴窟装置。
【請求項３】
前記突起部の径が７〜１３ｍｍである請求項２に記載の水琴窟装置。
【請求項４】
前記突起部の端面に窪みが形成された請求項１乃至３のいずれかに記載の水琴窟装置。
【請求項５】
前記窪みが略半球状である請求項４に記載の水琴窟装置。
【請求項６】
前記適下手段が、前記適下することとなる水を一時的に保持する水保持容器を備え、該水保持容器に底穴が形成され、前記突起部が該底穴の縁部から延出された請求項１乃至５のいずれかに記載の水琴窟装置。
【請求項７】
前記底穴の内周面に周方向に一巡する環状溝が形成され、前記突起部の周面に縦溝が形成され前記環状溝と前記縦溝とが導通する請求項６に記載の水琴窟装置。
【請求項８】
前記適下手段が、前記適下することとなる水を吸収して一時的に保持する水保持部材を備え、該水保持部材が前記水保持容器内に収納された請求項６又は７に記載の水琴窟装置。
【請求項９】
前記水保持部材が培土である請求項８に記載の水琴窟装置。
【請求項１０】
前記共鳴容器が上部に開口を有し、前記水保持容器が該開口に嵌合する高台を有し、該高台に欠落部が形成され、該開口の縁部に該欠落部と導通する欠損部が形成され、前記欠落部と前記欠損部を経由して前記共鳴容器の内部と外側空間とが導通するようになされた請求項６乃至９のいずれかに記載の水琴窟装置。
【請求項１１】
前記適下手段が、前記共鳴容器に載置された水保持容器を備え、前記突起部が該水保持容器の外底側に固定され、該水保持容器の側壁の少なくとも一部が前記適下することとなる水を吸収して一時的に保持する多孔質体から成り、該多孔質体から浸出した水が前記突起部の周面に達する請求項１乃至５のいずれかに記載の水琴窟装置。
【請求項１２】
前記水保持容器が該水保持容器に高台状に固定された筒部材又は柱状部材を備え、該筒部材又は柱状部材の外周面に該外周面を周方向に一巡する環状溝が形成され、前記突起部が該筒部材に固定され、該突起部の周面に縦溝が形成され、前記環状溝と前記縦溝とが導通する請求項１１に記載の水琴窟装置。
【請求項１３】
複数の前記突起部を備え、該複数の前記突起部のうちの少なくとも一部が互いに形状が異なる請求項１乃至１２のいずれかに記載の水琴窟装置。
【請求項１４】
前記水保持容器が前記突起部と一体に形成された焼き物である請求項６乃至１３のいずれかに記載の水琴窟装置。
【請求項１５】
請求項６乃至１４のいずれかに記載の前記水琴窟装置に用いられるものであって、前記共鳴容器と、前記共鳴容器に載置される前記水保持容器とを備えた水琴窟用装置。
【発明の詳細な説明】
【技術分野】
【０００１】
本発明は、水琴窟装置に関する。なかでも、屋内や卓上でも使用可能な水琴窟装置に関する。
【背景技術】
【０００２】
屋内や卓上でも使用可能な水琴窟装置として、底部に留置水が留置される共鳴容器と該留置水の水面に水滴を適下する適下手段とを含んでなる水琴窟装置がかずかず開示されている。（例えば、特許文献１、２、３参照。）
【０００３】
しかし、従来の水琴窟装置は水面に適下する水滴の大きさが充分でなく、又、適下部に水を多く送り込んでも水滴が充分に大きくならずに連続的に小さな水滴が適下したり、連続水流となって流下したりする傾向があり、水滴の大きさと適下の周期をともに最適化調整することが困難であった。このため、良好な音色が得られにくかった。
又、ノズルから所定量の水を排出する方法も開示されている（例えば、特許文献４参照。）が、ノズル詰まりの問題を回避できなかった。
【特許文献１】特開平８−５４８８３号公報
【特許文献２】特開２００２−０８２６７７号公報
【特許文献３】実開平１−１８１０９９号公報
【特許文献４】特開２００３−０４４０６０号公報
【発明の開示】
【発明が解決しようとする課題】
【０００４】
本発明の目的は、良好な音色が安定して得られる水琴窟装置を提供することにある。
【課題を解決するための手段】
【０００５】
本発明の要旨とするところは、
内底部に留置水が留置される共鳴容器と、該留置水の水面に水滴を適下する適下手段とを含んでなり、
前記適下手段が、前記水面の上方の位置に固定され垂下する突起部と、適下することとなる水を前記突起部の周面に導く水経路とを含み、
前記突起部が、端面に窪みが形成された突起部、先端が鈍である突起部から選択されるものである水琴窟装置であることにある。
【０００６】
前記突起部の径は５〜１５ｍｍであり得る。
【０００７】
前記突起部の径は７〜１３ｍｍであり得る。
【０００８】
前記水琴窟装置においては、前記突起部の端面に窪みが形成され得る。
【０００９】
前記窪みは略半球状であり得る。
【００１０】
前記水琴窟装置においては、前記適下手段が、前記適下することとなる水を一時的に保持する水保持容器を備え得、該水保持容器に底穴が形成され得、前記突起部が該底穴の縁部から延出され得る。
【００１１】
前記水琴窟装置においては、前記底穴の内周面に周方向に一巡する環状溝が形成され得、前記突起部の周面に縦溝が形成され前記環状溝と前記縦溝とが導通し得る。
【００１２】
前記水琴窟装置においては、前記適下手段が、前記適下することとなる水を吸収して一時的に保持する水保持部材を備え得、該水保持部材が前記水保持容器内に収納され得る。
【００１３】
前記水琴窟装置においては、前記水保持部材が培土であり得る。
【００１４】
前記１４窟装置においては、前記共鳴容器が上部に開口を有し得、前記水保持容器が該開口に嵌合する高台を有し得、該高台に欠落部が形成され得、該開口の縁部に該欠落部と導通する欠損部が形成され得、前記欠落部と前記欠損部を経由して前記共鳴容器の内部と外側空間とが導通するようになされ得る。
【００１５】
前記水琴窟装置においては、前記適下手段が、前記共鳴容器に載置された水保持容器を備え得、前記突起部が該水保持容器の外底側に固定され得、該水保持容器の側壁の少なくとも一部が前記適下することとなる水を吸収して一時的に保持する多孔質体から成り得、該多孔質体から浸出した水が前記突起部の周面に達し得る。
【００１６】
前記水琴窟装置においては、前記水保持容器が該水保持容器に高台状に固定された筒部材又は柱状部材を備え得、該筒部材又は柱状部材の外周面に該外周面を周方向に一巡する環状溝が形成され得、前記突起部が該筒部材に固定され得、該突起部の周面に縦溝が形成され得、前記環状溝と前記縦溝とが導通し得る。
【００１７】
前記水琴窟装置は、複数の前記突起部を備え得、該複数の前記突起部のうちの少なくとも一部が互いに形状が異なり得る。
【００１８】
前記水琴窟装置においては、前記水保持容器が前記突起部と一体に形成された焼き物であり得る。
【００１９】
又、本発明の要旨とするところは、前記水琴窟装置に用いられるものであって、前記共鳴容器と、前記共鳴容器に載置される前記水保持容器とを備えた水琴窟用装置であることにある。
【発明の効果】
【００２０】
本発明によると、良好な音色が得られる水琴窟装置が提供される。
【００２１】
本発明によると、良好な音色とともに観賞用植物の鉢植えを楽しむことが出来る。
【００２２】
本発明によると、ノズルつまり等流路の閉塞のおそれのない水琴窟装置が提供される。
【００２３】
本発明によると、一定量の水により長時間定常的に作動する水琴窟装置が提供される。
【００２４】
本発明によると、少ない量の水により長時間定常的に作動する水琴窟装置が提供される。
【発明を実施するための最良の形態】
【００２５】
本発明の水琴窟装置の実施形態について、図面を使用して説明する。なお、本明細書においては、各図にわたって記される同じ符号は同一又は同様の部材やものを示す。図１〜図４に示すように、本発明の水琴窟装置２は、底部に留置水１０が留置される共鳴容器４と、留置水１０の水面７に水滴５を適下する適下手段６とを含んでなる。水面７のレベルを一定に保つための水抜き孔７０が共鳴容器４の壁面に設けられている。適下手段６は、共鳴容器４に載置された水保持容器２０と、水保持容器２０に収納された水保持部材２２と、水面７の上方の位置に固定され垂下する複数の円柱状の突起部１２と、水保持部８に保持された水を突起部１２の周面１５（図２）に導く水経路１４（図３）とを含む。水保持容器２０と水保持部材２２とで水を吸収して一時的に保持する水保持部８を構成する。突起部１２は複数個であることが好ましいが１個であってもよい。共鳴容器４は下部に共鳴台８０を備える。共鳴台８０は必ずしも必須ではないが、良好な音色を得るうえでは設けられていることが好ましい。
【００２６】
水保持部材２２は培土２３から成り、培土２３には観賞用の植物２５が植生されている。水遣り用容器３１内の水２９を培土２３に注ぐことにより、植物２５に水遣りが行なわれるとともに、培土２３（水保持部材２２）に一時的に保持された水が徐々に水保持容器２０の内底に達する。培土２３（水保持部材２２）からは突起部１２にむけて徐々に水が排出されるので、一旦培土２３（水保持部材２２）に充分水を供給しておけば長時間にわたり突起部１２に水が供給され、水滴を長時間にわたり滴下させることが出来る。
【００２７】
水保持部材２２は水を吸収する機能を有するものであれば培土２３にかえて用いることが出来る。水保持部材２２としては素材は限定されないが、スポンジのような発泡樹脂、海綿、アクリル系高吸水性樹脂、綿のような天然繊維やナイロン繊維のような合成繊維の集合体、紙切れの集合体、パルプ、砂、砂利（好ましくは１０メッシュ以上）、籾殻、燻炭、樹脂粉体などが挙げられる。又、水琴窟の音のみを楽しむのが目的であれば水保持部材２２には必ずしも植物２５を植える必要はない。又、水保持部材２２への給水はポンプを接続したホース等の給水手段により行なわれてもよい。
【００２８】
水保持容器２０の底には底穴２４が形成され、突起部１２がその上端で底穴２４の縁部に固定されている。底穴２４の内周面２７には周方向に一巡する環状溝２６が形成されている。
【００２９】
底穴２４は、水保持容器２０の内底面３２から外底面３４にかけて貫通している。突起部１２の上端が外底面３４に底穴２４の周縁部の位置で固定されている。又、水保持容器２０には底穴２４を囲んで高台４４が設けられている。
【００３０】
水保持容器２０内で水保持部材２２に一時的に保持された水が水保持容器２０の内底に達し更に底穴２４を経由して周面１５に達する。即ち、内周面２７が水経路１４の少なくとも一部を構成している。又、水はその途中で環状溝２６を伝わって周面１５に達する。即ち、環状溝２６が水経路１４の一部を構成している。水保持容器２０内から内周面２７に達した水は確実に環状溝２６により確保されたのち周面１５に達する。
【００３１】
更に、周面１５には、突起部１２の長手方向に延びる縦溝２８が形成されている。縦溝２８は上端で環状溝２６と会合している。周面１５に達した水は、環状溝２６とそれに続く縦溝２８に案内されてこれらを通過して突起部１２の下端面３０に確実に達する。又、環状溝２６は内周面２７に達した水を満遍なく複数の突起部１２にそれぞれ配分する機能を有する。下端面３０に達した水は下端面３０に付着する水滴となる。突起部１２に供給される水の時間あたりの供給量がたとえ少なくとも、突起部１２は縦溝２８があるために供給された水をほぼすべて受け止めて、水が供給され続けるにつれ、この水により形成された水滴が大きくなり、ある程度の大きさになると自重で水面７に向けて落下する。
【００３２】
従来の水琴窟装置においても、突起の先端から水滴を落下させられるものも見受けられたが、従来の水琴窟装置においては、供給された水がこの突起以外の部分からも水面に向けて落下するので音が濁り、又、有効な水滴の水量に比べて過剰の無駄な水を供給する必要がある。例えば、この突起が垂下される基面からも直接水滴が落下することが多い。水保持容器２０内にバッチ式で水を供給する場合は、供給された水が無くなるまでの時間が短くなる。即ち、１回の水の供給で楽しめる時間が短くなる。本発明の水琴窟装置においては、ノズルのような狭隘な経路を通過させないにもかかわらず水保持容器２０内に供給するされた水がほぼすべて音響の発生に有効な水滴として利用されるので、１回の水の供給で楽しめる時間が長くなる。
【００３３】
又、水保持容器２０内に供給された水は、一旦水保持部材２２に一時的に保持されたのちに徐々に水保持部材２２から放出されて突起部１２に達するので、水保持容器２０内にいちどきに水が供給されたとしても所定の間隔で水滴を落下させることが出来る。従来においては、水保持容器２０内にいちどきに水が供給されると過剰の水が水滴形成部に供給されて水滴形成部から水が間隔をおかずに滴下したり連続的に流下したりして良好な音色が得られなかった。
【００３４】
ノズルを用いて、ノズルに供給する水量を調節して水滴の大きさや滴下の間隔を調整することも考えられているが、ノズルの閉塞の問題が避けられない。本発明の水琴窟装置においては、狭隘な経路を通過することなく水が水滴形成部（下端面３０）に達するにもかかわらず、所定の間隔で水滴を落下させることができ、かつ、水経路の詰まり（閉塞）は生じない。
【００３５】
図３、図４に示すように、突起部１２の下端面３０には輪郭が略円形の窪み４４が形成されている。突起部１２の下端面３０に達した水は円形の窪み４４に抱えられるようにして水滴が大きくなるので、先端が尖った部材の先端から水滴を落下させる場合に比べてはるかに大きい水滴を突起部１２の下端面３０に形成させたのち落下させることが出来る。
【００３６】
大きな水滴を形成させるうえでは、突起部１２の下端面３０の形状は図５（ａ）に示すように、平坦であってもよい。下端面３０の中央部が平坦（図５（ｂ））であってもよい。饅頭状にふくらんだ形状（図５（ｃ））であってもよい。このように、突起部１２の先端が尖ったものでなく鈍であることが好ましい。なかでも、図３、図４に示すような窪み４４が形成されていることが最も好ましい。窪み４４の形状は円形に限定されない。例えば、輪郭が方形や楕円形であってもよい。その他の多角形状、曲線で囲まれた形状であってもよい。
【００３７】
大きくかつ安定した水滴を形成させて落下させるうえで、突起部１２の径は５〜１５ｍｍであることが好ましい。７〜１３ｍｍであることが更に好ましい。突起部１２の径がこの範囲をこえて小さくなると、滴下する水滴が過小となり、滴下音による音響が小さくなって水琴窟としての良好な音響効果に乏しくなる。突起部１２の径がこの範囲をこえて大きくなると、下端面３０にできた水滴が落下するまえに分裂して大きな水滴が得られない。
【００３８】
窪み４４の深さは大きな水滴を得るうえで０．５〜８ｍｍであることが好ましい。略半球形であることが更に好ましい。即ち、突起部１２の半径が窪み４４の深さと略等しいことが好ましい。又、突起部１２の下端面３０が饅頭状にふくらんだ形状である場合、ふくらみの高さは０〜５ｍｍであることが好ましい。ふくらみの高さが突起部１２の径以下であるころが更に好ましい。突起部１２の中央部が平坦である場合、平坦な部分の面積が突起部１２の断面積の３割以上であることが好ましい。６割以上であることが更に好ましい。
【００３９】
突起部１２の断面形状はとくに制限はないが、大きくかつ安定した水滴を形成させて落下させるうえで、長径と短径の比が０．５〜０．３であることが好ましい。円形であることが更に好ましい。
【００４０】
突起部１２の材質に特に制限はないが、周面は素焼の焼き物の面のような多孔質であることが水を確実に下端面３０に移送させるうえで好ましい。突起部１２が焼き物から成る場合、下端面３０は施釉された面であることが水滴ばなれがよく、下端面３０に形成された水滴が落下前に壊れることがなく好ましい。水滴が落下する前に壊れると水が紐状につらなって落下したり分散して落下する傾向があり良好な音色が得られない。
【００４１】
又、本発明の水琴窟装置２においては、高台４４が共鳴容器４の上部の開口５０に嵌合して共鳴容器４の内部が外部に対して遮断されている。但し、図１、図２示すように、高台４４に切り欠き５２（欠落部５５）が形成されており、開口５０の縁部に切り欠き部５４（欠損部５７）が形成され（図６）、切り欠き５２の位置と切り欠き部５４の位置とを高台４４の周方向に関して合致させることにより、切り欠き５２及び切り欠き部５４を経由して共鳴容器の内部と外側空間とが導通するようになされた導通部５６が形成されている。切り欠き５２は高台４４の周方向に等間隔に計３個形成され、従って、導通部５６も３個形成されている。導通部５６は共鳴容器４の空気抜き穴の機能をはたす。導通部５６は１、２あるいは４個以上形成されてもよいが３個であることが音響効果のうえで更に好ましい。
【００４２】
導通部５６にかえて共鳴容器４の側壁に直接穿孔して空気抜き穴としてもよいが、開口５０の縁部に直近の位置に本発明の水琴窟装置２におけるこのような態様で設けることが美しい音色が得られて好ましい。
【００４３】
本発明の水琴窟装置２においては、複数個の突起部１２の径などの形状が互いに異なったものであってもよい。少なくとも一部の突起部１２の形状が互いに異なったものであってもよい。これにより、異なる音色が交互またはランダムに発生し水琴窟装置のたのしみが増す。
【００４４】
図７に本発明の他の態様の水琴窟装置２ａを示す。水琴窟装置２ａは、共鳴容器４ａと、水面７に水滴を適下する適下手段６ａとを含んでなる。適下手段６ａは、共鳴容器４ａに載置された水保持容器２０ａと、水面７上方の位置に固定され垂下し先端が鈍である突起部１２と、適下することとなる水を突起部１２の周面に導く水経路１４ａと、適下手段６ａに水を供給する水供給手段６６とを含んで構成される。
【００４５】
水保持容器２０ａは、底部に円筒状に下方に突出する円筒部６０を備え、円筒部６０の中空部６２が水保持容器２０ａの内部と導通している。突起部１２は上端部が円筒部６０の下端部に嵌合している。又、円筒部６０の内壁面と、嵌合された突起部１２の上端部周面との間には周方向に関して間歇的に隙間６４が形成されて中空部６２と突起部１２の周面との間に水が通過する水経路１４ａとなっている。突起部１２の下端面３０には上面視円形の窪み４４が形成されている。
【００４６】
共鳴容器４ａの壁面には空気抜き孔７２が形成されている。又、共鳴容器４ａは、上部に円形の開口部７４を有し、開口部７４に円筒部６０が挿嵌されている。水供給手段６６は、給水管７３と給水管７３に接続された給水ポンプ６８と管先７１とから構成される。水供給手段６６により水１１が水保持容器２０ａに満たされ、水保持容器２０ａから一定量の水が水経路１４ａを経て突起部１２に漏出し、下端面３０で水滴となって水面７に向けて落下する。
【００４７】
水抜き孔７０から溢出した水が水受け容器（不図示）に受けられ、給水管７３の先端（不図示）から給水ポンプ６８を介して水保持容器２０ａの内部に還流されてもよい。
【００４８】
図８〜図１０に本発明の他の態様の水琴窟装置２ｂを示す。水琴窟装置２ｂは、共鳴容器４ｂと、水面７に水滴を適下する適下手段６ｂとを含んでなる。適下手段６ｂは、共鳴容器４ｂに載置された水保持容器２０ｂと、水面７上方の位置に固定され垂下し先端が鈍である突起部１２と、適下することとなる水を突起部１２の周面に導く水経路１４ｂとを含んで構成される。水保持容器２０ｂは少なくとも一部が多孔質の素材、例えば、セラミックス多孔質体、発泡樹脂体から成り、水保持容器２０ｂに留置された水９が多孔質の素材の連通孔を経由して外壁面に浸出するように構成されている。水保持容器２０ｂの外底には、筒部材９０が高台状に固定されている。筒部材９０にかえて同径の柱状部材が固定されていてもよい。又、複数の突起部１２がそれぞれ筒部材９０の下端面から垂下している。
【００４９】
筒部材９０の外周面にはこの外周面を周方向に一巡する環状溝２６ｂが形成されている。突起部１２の周面１５には、突起部１２の長手方向に延びる縦溝２８が形成されている。縦溝２８は上端で環状溝２６ｂと会合している。周面１５に達した水は、環状溝２６ｂとそれに続く縦溝２８に案内されてこれらを通過して突起部１２の下端面３０に確実に達する。下端面３０に達した水は下端面３０に付着する水滴となる。水が供給され続けるにつれこの水滴が大きくなり、ある程度の大きさになると自重で水面７に向けて落下する。
【００５０】
共鳴容器４ｂは上部に円形の開口部７４ｂを有し、開口部７４ｂの上方に水保持容器２０ｂの下面８４が位置するように水保持容器２０ｂが、共鳴容器４ｂに、水保持容器２０ｂの外底部にもうけられたスペーサ９２を介して載置される。スペーサ９２により共鳴容器４ｂの上縁と水保持容器２０ｂの外底部との間に隙間９４が形成され、隙間９４は共鳴容器４ｂの空気抜きの機能をはたす。
【００５１】
図１１に本発明の他の態様の水琴窟装置２ｃを示す。水琴窟装置２ｃは、共鳴容器４ｃと、水面７に水滴を適下する適下手段６ｃとを含んでなる。適下手段６ｃは、共鳴容器４ｃに載置された水保持容器２０ｃと、水面７上方の位置に固定され垂下し先端が鈍である突起部１２と、水適下することとなる、水保持容器２０ｃに入れられた水１３を突起部１２の周面に導く水経路１４ｃとを含んで構成される。
【００５２】
水保持容器２０ｃは、底８２を有する円筒体８４から構成され、複数の突起部１２がそれぞれの上端を底８２の下面８４に固定されて配されている。水保持容器２０ｃは少なくとも一部が多孔質の素材、例えば、セラミックス多孔質体、発泡樹脂体から成り、水保持容器２０ｃに留置された水が多孔質の素材の連通孔を経由して下面８４に浸出するように構成されている。下面８４に浸出した水は突起部１２の周面を伝わって下端面３０で水滴となって水面７に向けて落下する。
【００５３】
共鳴容器４ｃは、上部に円形の開口部７４ｃを有し、開口部７４ｃの内側に下面８４が位置するように水保持容器２０ｃが共鳴容器４ｃに載置される。共鳴容器４ｃには開口部７４ｃを囲むフランジ８８が上方に突出して配され、フランジ８８の内側に水保持容器２０ｃの下端部が挿嵌される。
【００５４】
本発明の水琴窟装置においては、共鳴容器４、４ａ、４ｂ、４ｃは樹脂製、金属製等素材は問わないが、陶器製（焼き物）であることが音色の美しさから最も好ましい。水保持容器２０、２０ａは樹脂製、金属製等素材は問わないが、陶器製であることが共鳴容器が陶器製である場合、この素材とマッチして最も好ましい。突起部１２も樹脂製、金属製等素材は問わないが、水保持容器２０が陶器製である場合水保持容器２０と一体成形された陶器製であることが製作の容易さからも好ましい。
【００５５】
その他、本発明は、主旨を逸脱しない範囲で当業者の知識に基づき種々なる改良、修正、変更を加えた態様で実施できるものである。
【産業上の利用可能性】
【００５６】
本発明の水琴窟装置は、屋内は勿論、屋外に設置して豊かな金属音を楽しむことが出来る。
【図面の簡単な説明】
【００５７】
【図１】本発明の水琴窟装置の構成を示す断面模式図である。
【図２】図１に示す水琴窟装置における水保持容器の背面図とその部分拡大図である。
【図３】図２に示す水保持容器のＡ−Ａ方向の部分拡大断面図である。
【図４】図２に示す水保持容器をＢ方向にみた部分拡大図である。
【図５】本発明の水琴窟装置における突起部の各種の態様を示す部分正面図である。
【図６】本発明の水琴窟装置における共鳴容器の上面図である。
【図７】本発明の水琴窟装置の他の一例の態様の構成を示す断面模式図である。
【図８】本発明の水琴窟装置の更に他の一例の態様の構成を示す断面模式図である。
【図９】図８に示す水琴窟装置における水保持容器の背面図とその部分拡大図である。
【図１０】図９に示す水保持容器のＣ−Ｃ方向の部分拡大断面図である。
【図１１】本発明の水琴窟装置の又更に他の一例の態様の構成を示す断面模式図である。
【符号の説明】
【００５８】
２、２ａ、２ｂ、２ｃ：水琴窟装置
４、４ａ、４ｂ、４ｃ：共鳴容器
６、６ａ、６ｂ、６ｃ：適下手段
７：水面
８：水保持部
１０：留置水
１２：突起部
１４、１４ａ、１４ｂ、１４ｃ：水経路
１５：周面
２０、２０ａ、２０ｂ、２０ｃ：水保持容器
２２：水保持部材
２３：培土
２４：底穴
２６、２６ｂ：環状溝
２７：内周面
２８：縦溝
３２：内底面
３４：外底面
４４：高台
３０：下端面
４４：窪み
５５：欠落部
５６：導通部
５７：欠損部
９０：筒部材
【図１】
2006146015.tif 000003
【図２】
2006146015.tif 000004
【図３】
2006146015.tif 000005
【図４】
2006146015.tif 000006
【図５】
2006146015.tif 000007
【図６】
2006146015.tif 000008
【図７】
2006146015.tif 000009
【図８】
2006146015.tif 000010
【図９】
2006146015.tif 000011
【図１０】
2006146015.tif 000012
【図１１】
2006146015.tif 000013